(57)【特許請求の範囲】
【請求項１】
原稿を載置する原稿載置部を有する画像読取装置に用いられるイメージセンサユニットにおいて、
光源と、
長手方向端部に配置した前記光源から発せられた光を前記原稿載置部に載置された前記原稿へ導く導光体と、
前記光源、及び、前記導光体を支持する支持体と、
前記支持体の長手方向端部で支持された、前記原稿載置部と摺動する摺動部材と、
前記摺動部材に設けられた、前記光源から発せられた光のうち前記導光体に入光することなく前記原稿載置部に向かう光を遮る遮光部と、
前記摺動部材に設けられた係止部と、
前記支持体に設けられた、前記係止部と係止する被係止部と、
を有し、
前記摺動部材は、前記係止部と前記被係止部とが係止することによって前記支持体に取り付けられ、
前記摺動部材は、前記係止部と前記被係止部とが外れることによって前記支持体から取り外される
ことを特徴とするイメージセンサユニット。
【請求項２】
前記摺動部材は前記原稿載置部との接触面積を低減する突起を有し、前記突起は、前記原稿載置部の設けられた方向に突出するように構成されている
ことを特徴とする請求項１に記載のイメージセンサユニット。
【請求項３】
前記イメージセンサユニットを前記画像読取装置に用いた際に、
前記摺動部材は、前記導光体よりも前記原稿載置部の設けられた側に前記突起と前記遮光部とを有するように構成されている
ことを特徴とする請求項２に記載のイメージセンサユニット。
【請求項４】
前記遮光部と前記導光体との間に空気層を設け、前記空気層によって、前記導光体が膨張した際に、前記遮光部と前記導光体とが接触しないよう構成されている
ことを特徴とする請求項１乃至請求項３のいずれか１項に記載のイメージセンサユニット。
【請求項５】
前記支持体の長手方向両端に設けられた摺動部材は、同一の形状であり、かつ、前記支持体の短手方向一端部において前記原稿載置部とは反対の方向に向かって突出した支持部と、前記短手方向他端部において前記原稿載置部とは反対の方向に向かって突出した支持部とを有し、
前記支持体の長手方向両端に設けられた摺動部材の一方の前記一端部から突出した前記支持部と、前記他端部から突出した前記支持部とでもって、前記イメージセンサユニットを電気的に接続する電気配線の移動範囲を規制するように構成されている
ことを特徴とする請求項１乃至請求項４のいずれか１項に記載のイメージセンサユニット。
【請求項６】
イメージセンサユニットと、
原稿を載置する原稿載置部と、
を有する画像読取装置であって、
前記イメージセンサユニットは、請求項１乃至請求項５のいずれか１項に記載のイメージセンサユニットである
ことを特徴とする画像読取装置。
【発明の詳細な説明】
【技術分野】
【０００１】
本発明は、イメージセンサユニット、及び、イメージセンサユニットを用いた画像読取装置に関する。
【背景技術】
【０００２】
光源を導光体の長手方向（主走査方向）側端面近傍に設置するイメージセンサユニットにおいては、光源と導光体との間隙から漏れ光が生じる場合には、主走査方向において照度分布を均一に保てない虞があった。
【０００３】
そこで、特許文献１記載のイメージセンサが本出願人より提案されている。
【先行技術文献】
【特許文献】
【０００４】
【特許文献１】国際公開第２００８／０１３２３４号パンフレット
【発明の概要】
【発明が解決しようとする課題】
【０００５】
特許文献１に記載のイメージセンサユニットは、導光体を覆うとともに前記導光体の出射面から放射される光を通過させるための開口部を有し、前記導光体の端面を超えて発光素子と嵌合する導光体カバーを有するものである。これによって、前記発光素子からの放射光を効率良く前記導光体に入射させることができるものである。
【０００６】
これに対して発明は、原稿載置部と摺動する摺動部材と、前記摺動部材に設けられた、前記光源から発せられた光のうち導光体に入光することなく前記載置部に向かう光を遮る遮光部と、を有するものである。これによって、本発明は、前記原稿載置部に向かう光の均一な照度分布を得ることのできるイメージセンサユニット、及び、画像読取装置を提供することを目的とする。
【課題を解決するための手段】
【０００７】
本発明のイメージセンサユニットは、原稿を載置する原稿載置部を有する画像読取装置に用いられるイメージセンサユニットにおいて、光源と、長手方向端部に配置した前記光源から発せられた光を前記原稿載置部に載置された前記原稿へ導く導光体と、前記光源、及び、前記導光体を支持する支持体と、前記支持体の長手方向端部で支持された、前記原稿載置部と摺動する摺動部材と、前記摺動部材に設けられた、前記光源から発せられた光のうち前記導光体に入光することなく前記原稿載置部に向かう光を遮る遮光部と、前記摺動部材に設けられた係止部と、前記支持体に設けられた、前記係止部と係止する被係止部と、を有し、前記摺動部材は、前記係止部と前記被係止部とが係止することによって前記支持体に取り付けられ、前記摺動部材は、前記係止部と前記被係止部とが外れることによって前記支持体から取り外されることを特徴とする。
【発明の効果】
【０００８】
本発明によれば、原稿載置部に向かう光の均一な照度分布を得ることのできるイメージセンサユニット、及び、画像読取装置を提供できる。
【図面の簡単な説明】
【０００９】
【図１】図１は、本発明を適用できるイメージスキャナーの構造を示す斜視図である。
【図２】図２は、イメージセンサユニット４を示す概略図である。
【図３】図３は、導光体１１の副走査方向における断面図である。
【図４】図４は、本発明を適用できるスペーサ１６の斜視図である。
【図５】図５は、イメージセンサユニット４の構造を示す斜視図である。
【図６】図６は、スペーサ１６の詳細な形状を示す斜視図である。
【図７】図７は、イメージセンサユニット４の構造を示す主走査方向における断面図である。
【図８】図８は、Ｒの発光波長を持つ発光素子１０ｒを発光させた際の照度分布を示す図である。
【図９】図９は、Ｂの発光波長を持つ発光素子１０ｂを発光させた際の照度分布を示す図である。
【図１０】図１０は、Ｇの発光波長を持つ発光素子１０ｇを発光させた際の照度分布を示す図である。
【図１１】図１１は、Ｒの発光波長を持つ発光素子１０ｒを発光させた際の照度分布を示す一部拡大図である。
【図１２】図１２は、Ｂの発光波長を持つ発光素子１０ｂを発光させた際の照度分布を示す一部拡大図である。
【図１３】図１３は、Ｇの発光波長を持つ発光素子１０ｇを発光させた際の照度分布を示す一部拡大図である。
【図１４】図１４は、ＲＧＢ夫々の単独発光時の１ＰＩＸの位置における測定結果を示す図である。
【図１５】図１５は、遮光屋根２０を用いない状態における反射光の状態を示す模式図である。
【図１６】図１６は、裏面を吸収面とした遮光屋根２０を備えた状態における反射光の状態を示す模式図である。
【図１７】図１７は、裏面を反射面とした遮光屋根２０を備えた状態における反射光の状態を示す模式図である。
【図１８】図１８は、導光体１１と発光素子１０ｒ、１０ｂ、１０ｇとの位置関係を示す図である。
【発明を実施するための形態】
【００１０】
以下、本発明の実施の形態について図面に基づき詳細に説明する。図１は本発明を適用できるフラットベッド方式のスキャナ（画像読取装置）の構造を示す斜視図である。
１は筐体であり、この筐体１には原稿載置部としてのガラス製の透明板からなるプラテンガラス２と、このプラテンガラス２上に載置された図示しない原稿を覆うように開閉自在設けられたプラテンカバー３とが設けられている。
【００１１】
また、筐体１の内部には、イメージセンサユニット４が収納されており、イメージセンサユニット４は、例えば、密着型イメージセンサ（ＣＩＳ；Ｃｏｎｔａｃｔ Ｉｍａｇｅ Ｓｅｎｓｏｒ）ユニットである。５はイメージセンサユニット４をプラテンガラス２に沿って移動可能に設けられたスライドシャフト、６は駆動モータ、７はワイヤである。８はフレキシブルケーブル等の電気配線であり、電気配線８によってイメージセンサユニット４と信号処理部９とを電気的に接続するものである。
【００１２】
この構成により、駆動モータ６を駆動してイメージセンサユニット４に取り付けられたワイヤ７を機械的に動かすことにより、イメージセンサユニット４をスライドシャフト５に沿って読取方向（副走査方向）に移動するものである。
【００１３】
図２はイメージセンサユニット４の構造を示す概略図である。
１０は原稿照明用の光源であり、この光源１０には赤緑青（以下、ＲＧＢと略す）３色の発光波長を持つＬＥＤからなる発光素子１０ｒ、１０ｇ、１０ｂが備えられており、これらの発光素子１０ｒ、１０ｇ、１０ｂを順次点灯駆動することにより光を照射する構成である。
尚、光源１０は白色光源であっても構わない。
【００１４】
１１は光源１０からの照射光を原稿へと導く長尺状の導光体であり、この導光体１１の長手方向の一方の端面の近傍に間隙Ａを介して光源１０が配置されている。
１２は結像素子としてのロッドレンズアレイであり、このロッドレンズアレイ１２は、正立等倍結像型レンズ素子が複数配列された構成である。
１３はロッドレンズアレイ１２にて結像された反射光（原稿画像）を電気信号に変換する光電変換素子であり、１４は光電変換素子１３ｋ（ｋは１から１１の自然数）が実装されたセンサ基板である。
尚、本実施形態では、光電変換素子１３ｋの数は１１個であるが、光電変換素子１３ｋの数は特に限定されない。
【００１５】
以上の構成により、イメージセンサユニット４はプラテンガラス２の直下の読取位置において、光源１０に設けられた発光素子１０ｒ、１０ｇ、１０ｂを順次点灯駆動することにより光を照射する。光源１０からの照射光は導光体１１を通して斜め上方に照射されることにより、原稿の表面を主走査方向においてライン状に略均一に照明する。光源１０からの照射光は原稿によって反射され、この反射光はロッドレンズアレイ１２により、センサ基板１４上に設けられた光電変換素子１３ｋ上に集束結像する。反射光は光電変換素子１３ｋにより電気信号に変換され、信号処理部９により処理される。
【００１６】
このようにＲＧＢ全ての反射光を１走査ライン分読み取ることで、原稿の主走査方向における１走査ラインの読取動作を終了するものである。
【００１７】
１走査ラインの読取動作終了後、イメージセンサユニット４はさらに１走査ライン分副走査方向へ移動しつつ、原稿に照射光を照射しながら同様に１走査ラインの読取動作を行う。この読取動作を繰り返すことで原稿の全面を走査するものである。
【００１８】
図３は導光体１１の構造を示す側面図である。
導光体１１は、例えば、アクリル等の透明な合成樹脂から成形されるものである。
１０１は長手方向（主走査方向）の一方の側端面に設けられた入光面であり、この入光面１０１の近傍に間隙Ａを介して光源１０が配置されることにより、光源１０からの照射光が入光するものである。
【００１９】
１０２は導光体１１の長手方向に沿って設けられた出射面であり、導光体１１内で反射・拡散された光源１０からの照射光を原稿の方向へ出射するものである。出射面１０２は集光効果のため凸状に形成されている。
１０３は出射面１０２と対向する面に設けられた反射面であり、この反射面１０３には、例えば、シルク印刷等による光反射性の塗料からなる図示しない光拡散パターンが形成されている。この光拡散パターンの分布密度は、光源１０からの距離に応じて、光源１０に近い部分は低密度に、遠方では高密度に配置された構成である。
また、他の面は夫々図示しない反射面である。
【００２０】
この構成により、導光体１１に設けられた入光面１０１より導光体１１内に入光した光源１０からの照射光は、導光体１１内にて反射面１０３、及び、図示しない反射面により全反射しながら導光体内を伝搬しつつ、出射面１０２より出射する。同時に、導光体１１内にて反射面１０３に設けられた光拡散パターンにより拡散しつつ、出射面１０２より出射することで、原稿に対し主走査方向においてライン状に略均一に照射するものである。
【００２１】
この時、光源１０からの照射光は、導光体１１に設けられた入光面１０１より導光体１１内に入光する光と、導光体１１内に入光することなく間隙Ａを通って原稿の方向に直接照射する光とで構成される。
このため、導光体１１内に入光することなく原稿方向に直接照射する光が漏れ光となるものである。
【００２２】
図４は本発明を適用できるスペーサ１６の斜視図、図５はイメージセンサユニット４の構造を示す斜視図であり、図６はスペーサ１６の詳細な形状を示す斜視図である。
１５は構成部材を支持する支持体としてフレームであり、このフレーム１５に、光源１０、導光体１１、ロッドレンズアレイ１２、光電変換素子１３ｋの実装されたセンサ基板１４等の構成部材が所定の位置関係で夫々取り付け支持された構成である。
１６は、スペーサであり、全体として略コ字形状に形成されている。このスペーサ１６は、後述する第１のスペーサ１６ａ、及び、第２のスペーサ１６ｂとして、イメージセンサユニット４の長手方向における両端部を覆う位置に夫々設けられるものである。
【００２３】
スペーサ１６の両端には夫々支持部１７が設けられており、支持部１７には鉤状の係止部１８が夫々設けられている。
係止部１８は互いに対向して設けられており、フレーム１５に設けられた夫々の被係止部１９と捩じるようにして係止することでフレーム１５上に取り付けられるものである。
また、支持部１７はフレーム１５に設けられた被係止部１９と係止される際、係止状態を保つためにある程度の弾性力を持つように構成されている。
支持部１７の先端は、スペーサ１６をフレーム１５に取り付けた際にフレーム１５の下面より突出する長さであり、支持部１７の先端はイメージセンサユニット４を筐体１に取り付けた際に筐体１内の底面近くに位置するものである。
【００２４】
これにより、イメージセンサユニット４の移動の際において、イメージセンサユニット４両端部から突出する夫々の支持部１７の先端が電気配線８のストッパーとして作用するため、電気配線８の主走査方向への移動範囲を規制できるものである。このため、イメージセンサユニット４の幅内に電気配線８を安定して位置させることができ、イメージセンサユニット４と他部品との間に挟み込まれること等により生じる電気配線８への負荷を低減できる。
【００２５】
２０はスペーサ１６に延設された遮光部としての遮光屋根であり、この遮光屋根２０はイメージセンサユニット４への組み付けた際、光源１０の上部（、及び、導光体１１の端部）を覆うような形状に形成されている。
２１は突起であり、スペーサ１６の上面に２ヶ所設けられている。
【００２６】
スペーサ１６は、自己潤滑性を有する合成樹脂から形成されており、例えば、超高分子量ポリエチレン、ポリアセタール、ポリアミド、ポリブチレンテレフタレート等から形成されるものである。或いは、自己潤滑性を有する固体潤滑剤を含んだ合成樹脂から形成されており、例えば、フッ素樹脂、二硫化モリブデン等をコーティングした合成樹脂から形成されるものである。
ここで自己潤滑性とは、自身が潤滑性を有することで、他の潤滑剤等を使用することなく摩擦・摩耗を低減できる性質を言うものである。
【００２７】
この構成において、スペーサ１６は、イメージセンサユニット４（フレーム１５）の長手方向における両端部を覆う位置に夫々設けられている。即ち、第１の摺動部材としての第１のスペーサ１６ａを一方の端部に、第２の摺動部材としての第２のスペーサ１６ｂを他方の端部に、夫々着脱自在に組み付けられる構成である。
このため、イメージセンサユニット４を筐体１に収納した場合、第１のスペーサ１６ａ、及び、第２のスペーサ１６ｂはプラテンガラス２とイメージセンサユニット４との間に夫々間挿されることになる。
この時、イメージセンサユニット４はその上面の両端部において、第１のスペーサ１６ａ、及び、第２のスペーサ１６ｂに設けられた突起２１を介してプラテンガラス２の下面に当接するものである。
【００２８】
尚、本実施の形態では第１のスペーサ１６ａ、及び、第２のスペーサ１６ｂは、同一形状のものを反転させて用いることで共通化を計っているが、異なる形状であっても構わない。
また、突起２１の数・形状は本実施の形態に限定されるものではない。
【００２９】
図７はイメージセンサユニット４の構造を示す主走査方向における断面図である。
光源１０と導光体１１との間には間隙Ａが設けられ、第１のスペーサ１６ａに設けられた遮光屋根２０と導光体１１の端部との間には空気層Ｂが設けられている。
図８、乃至、図１０は本実施の形態によるイメージセンサユニット４の読み取り範囲における照度分布を測定した図であり、遮光屋根２０の有無、及び、遮光屋根２０裏面の反射率の違いにおいて、ＲＧＢ夫々の単独発光時における照度分布を示している。また、図１１、乃至、図１３は、図８、乃至、図１０における一部拡大図である。
【００３０】
即ち、図８、及び、図１１はＲの発光波長を持つ発光素子１０ｒを発光させた際の照度分布を示す図である。図中、２００は遮光屋根２０を用いない状態における照度分布を示す線であり、２０１は裏面を吸収面とした遮光屋根２０を備えた状態における照度分布、２０２は裏面を反射面とした遮光屋根２０を備えた状態における照度分布である。
また、図９、及び、図１２はＢの発光波長を持つ発光素子１０ｂを発光させた際の照度分布を示す図である。図中、３００は遮光屋根２０を用いない状態における照度分布を示す線であり、３０１は裏面を吸収面とした遮光屋根２０を備えた状態における照度分布、３０２は裏面を反射面とした遮光屋根２０を備えた状態における照度分布である。
また、図１０、及び、図１３はＧの発光波長を持つ発光素子１０ｇを発光させた際の照度分布を示す図である。図中、４００は遮光屋根２０を用いない状態における照度分布を示す線であり、４０１は裏面を吸収面とした遮光屋根２０を備えた状態における照度分布、４０２は裏面を反射面とした遮光屋根２０を備えた状態における照度分布である。
【００３１】
尚、吸収面とは遮光屋根２０裏面に、例えば、光の反射率の低い黒色の顔料を練り込んだ合成樹脂を用いたこと、及び／又は、艶消し状の黒色塗装等の光を吸収するための表面処理を施したことを示している。また、反射面とは遮光屋根２０裏面に、例えば、光の反射率の高いコーティングを施した金属光沢を有する面（鏡面）としたことを示している。
【００３２】
図１４は遮光屋根２０の有無、及び、遮光屋根２０裏面の反射率の違いにおいて、ＲＧＢ夫々の単独発光時の１ＰＩＸの位置における測定結果を示す図である。
図１５は遮光屋根２０を用いない状態における反射光の状態を示す模式図、図１６は裏面を吸収面とした遮光屋根２０を備えた状態における反射光の状態を示す模式図、図１７は裏面を反射面とした遮光屋根２０を備えた状態における反射光の状態を示す模式図である。
【００３３】
図中に示すように、ＲＧＢを単独発光させた場合、遮光屋根２０の裏面を吸収面とすることで、遮光屋根２０を用いない状態と比較して２９．４〜３１．９％の低下率が確認できた。同様に、遮光屋根２０の裏面を反射面とすることで、４．５〜８．９％の低下率が確認できた。
【００３４】
これにより、遮光屋根２０裏面の表面処理は、反射率の低い状態において低下率が高く、例えば、低い反射率を示す艶消し状の黒色が適していることを示している。これにより、遮光屋根２０裏面を吸収面とし、漏れ光を吸収することで効果的な遮光が可能となる。
【００３５】
尚、１ＰＩＸの位置におけるＲＧＢに生じる照度差は、発光素子１０ｒ、１０ｇ、１０ｂの取付位置の違いによるものである。
即ち、発光素子１０ｒ、１０ｂ、１０ｇと原稿の読取位置との間において、発光素子１０ｒ、１０ｂ、１０ｇから出射面１０２までの距離を夫々Ｃ、Ｄ、Ｅとすると、「Ｃ＜Ｄ＜Ｅ」となる。この時、間隙Ａは一定であることから、距離が短いほど発光素子１０ｒ、１０ｂ、１０ｇ側からの間隙Ａに対する開口角が大きくなる。このため、発光素子１０ｒ、１０ｂ、１０ｇから出射面１０２までの距離が短いほど漏れ光が増加するためである。
加えて、発光素子１０ｒ、１０ｂ、１０ｇと原稿の読取位置との間において、出射面１０２から原稿の読取位置までの距離を夫々Ｆ、Ｇ、Ｈとすると、「（Ｃ＋Ｆ）＜（Ｄ＋Ｇ）＜（Ｅ＋Ｈ）」となる。照度は発光素子１０ｒ、１０ｂ、１０ｇからの距離の二乗に反比例することから、発光素子１０ｒ、１０ｂ、１０ｇから原稿読取位置までの距離が短いほど漏れ光の照度が増加するためである。（図１８参照）
本実施の形態では、イメージセンサユニット４（フレーム１５）上面に第１のスペーサ１６ａ、及び、第２のスペーサ１６ｂを着脱自在に備えると共に、第１のスペーサ１６ａは光源１０、及び、導光体１１の端部を覆うように延設された遮光屋根２０を備えたものである。
これにより、新たな部品を追加することなく間隙Ａからの漏れ光を遮光でき、入光面１０１近傍の照度分布を安定できることから、主走査方向の全域に亘って照度分布を略一定に保つことが可能となり、安定した画像品質が得られるものである。
【００３６】
加えて、入光面１０１から光電変換素子１３ｋまでの区間の短縮が可能となり、イメージセンサユニット４の全長を短縮できるものである。
【００３７】
また、スペーサ１６を着脱自在とすることにより、導光体１１をスライドして取り付ける必要が無く、はめ込みによって取り付けることが可能となる。このため、導光体１１の取り付け作業が容易となると共に、導光体１１の取り付け時に導光体１１とフレーム１５との間に生じる摩擦範囲を低減でき、導光体１１に生じる傷や磨耗等を防止できるものである。
【００３８】
また、スペーサ１６は光源１０、及び、導光体１１の端部を覆うように延設された遮光屋根２０を設けた構造であるため、光源１０に用いるＬＥＤにコスト的にも安価な市販品を用いることが可能となり、コスト低減を図ることができる。
【００３９】
また、スペーサ１６の上面に突起２１を設けたことにより、プラテンガラス２の下面との接触面積を低減することにより、摩擦抵抗を低減できると共に、接触位置を固定できる。これにより、イメージセンサユニット４の動作を安定できるばかりでなく、プラテンガラス２の下面とイメージセンサユニット４との距離を一定にできる。
【００４０】
また、遮光屋根２０と導光体１１の端部との間に空気層Ｂを設けたことにより、導光体１１が熱膨張・吸湿等により膨張した場合においても直接接触することがなく、導光体１１に生じる傷や磨耗等を防止できるものである。
【００４１】
また、遮光屋根２０裏面に光を吸収するための表面処理を施すことにより、漏れ光を吸収することで効果的な遮光が可能となる。
【００４２】
加えて、遮光屋根２０と導光体１１の間に空気層Ｂを設けたことにより、遮光屋根２０に覆われた導光体１１の端部における出射面１０２を反射面として用いることができる。このため、遮光屋根２０裏面に光を吸収するための表面処理を施した場合においても、遮光屋根２０と導光体１１とを密着した場合に生じる密着面での光の吸収がなくなり、導光体１１内部において光を反射できるため、光源１０からの光を効率よく導光できる。
【００４３】
さらには、スペーサ１６を、例えば、超高分子量ポリエチレン、ポリアセタール、ポリアミド、ポリブチレンテレフタレート等の自己潤滑性を有する合成樹脂から形成することにより、一体成型される突起２１がプラテンガラス２の裏面との摩擦・磨耗を低減できるものである。これにより、プラテンガラス２の下面に生じる傷や磨耗等を防止できる。
【００４４】
また、スペーサ１６を、例えば、フッ素樹脂、二硫化モリブデン等をコートすることによる固体潤滑剤を含んだ合成樹脂から形成することにより、コストを押さえつつ、プラテンガラス２の下面に生じる傷や磨耗等を防止できる。
【産業上の利用可能性】
【００４５】
本発明はイメージスキャナー、ファクシミリ、複写機等の画像読取装置として有効な技術である。
【符号の説明】
【００４６】
２      プラテンガラス
４      イメージセンサユニット
１０    光源
１１    導光体
１２    ロッドレンズアレイ
１３    光電変換素子
１４    センサ基板
１６    スペーサ
１６ａ  第１のスペーサ
１６ｂ  第２のスペーサ
２０    遮光屋根
２１    突起
Ａ      間隙
Ｂ      空気層
【図１】
0005209818.tif 000002
【図２】
0005209818.tif 000003
【図３】
0005209818.tif 000004
【図４】
0005209818.tif 000005
【図５】
0005209818.tif 000006
【図６】
0005209818.tif 000007
【図７】
0005209818.tif 000008
【図８】
0005209818.tif 000009
【図９】
0005209818.tif 000010
【図１０】
0005209818.tif 000011
【図１１】
0005209818.tif 000012
【図１２】
0005209818.tif 000013
【図１３】
0005209818.tif 000014
【図１４】
0005209818.tif 000015
【図１５】
0005209818.tif 000016
【図１６】
0005209818.tif 000017
【図１７】
0005209818.tif 000018
【図１８】
0005209818.tif 000019